(57)【特許請求の範囲】
【請求項１】
浴槽の内部に湯水を供給するための浴槽用ポンプの防音構造であって、
前記浴槽用ポンプの下面を含む周囲を覆うように設けられ、前記浴槽用ポンプの振動により生じる音を吸収する吸音材を備え、
前記吸音材は、内部に前記浴槽用ポンプを収容するとともに前記浴槽用ポンプを出し入れする開口を有するカバー本体と、前記開口を塞ぐ蓋部と、を有し、
前記浴槽用ポンプは、浴室内に配置され、
前記カバー本体の前記開口は、前記浴室の洗い場側を向くように配置されている、浴槽用ポンプの防音構造。
【請求項２】
前記吸音材は、互いに材質が異なる内側層と外側層とを有する請求項１に記載の浴槽用ポンプの防音構造。
【請求項３】
前記内側層は、多孔質材料により構成される請求項２に記載の浴槽用ポンプの防音構造。
【請求項４】
前記内側層と前記外側層との間には、隙間が形成されている請求項２又は３に記載の浴槽用ポンプの防音構造。
【請求項５】
前記吸音材で覆われた浴槽用ポンプを下方から支持するとともに、前記浴槽用ポンプの振動を抑制する防振材をさらに備え、
前記防振材は、金属材料で構成された第１防振部と、多孔質材料で構成された第２防振部と、を有する請求項１から４いずれかに記載の浴槽用ポンプの防音構造。
【発明の詳細な説明】
【技術分野】
【０００１】
本発明は、浴槽用ポンプの防音構造に関する。
【背景技術】
【０００２】
従来、ポンプにより湯水を浴槽に供給することが知られている。ポンプが作動すると、その振動により騒音が生じるため、かかる騒音対策としてポンプの防音構造が提案されている（例えば、特許文献１参照）。
【０００３】
特許文献１の技術では、ポンプをベース上に設置固定するとともに、ポンプの側方及び上方を遮音パネル及び遮音ケースで覆うことで、騒音を遮音している。
【先行技術文献】
【特許文献】
【０００４】
【特許文献１】登録実用新案第２５５６６９７号公報
【発明の概要】
【発明が解決しようとする課題】
【０００５】
しかしながら特許文献１の技術では、ポンプの上側をケースで覆っても、ポンプから生じる振動及び音を十分に防止しきれない場合があり、階下騒音が問題となるようなマンションなどの集合住宅に設置することは難しかった。また、浴室の使用方法も多様化しており、浴槽用ポンプの防音効果をより一層高めることが望まれている。
【０００６】
本発明は、従来よりも優れた防音性能を有する浴槽用ポンプの防音構造を提供することを目的とする。
【課題を解決するための手段】
【０００７】
上記目的を達成するため本発明は、浴槽（例えば、後述の浴槽１００）の内部に湯水を供給するための浴槽用ポンプ（例えば、後述の浴槽用ポンプ２０）の防音構造（例えば、後述の浴槽用ポンプの防音構造１）であって、前記浴槽用ポンプの下面を含む周囲を覆うように設けられ、前記浴槽用ポンプの振動により生じる音を吸収する吸音材（例えば、後述の防音カバー１０）を備える浴槽用ポンプの防音構造を提供する。
【０００８】
前記吸音材は、互いに材質が異なる内側層（例えば、後述の内側層１３）と外側層（例えば、後述の外側層１４）とを有することが好ましい。
【０００９】
前記内側層は、多孔質材料により構成されることが好ましい。
【００１０】
前記内側層と前記外側層との間には、隙間（例えば、後述の隙間１５）が形成されていることが好ましい。
【００１１】
前記吸音材で覆われた浴槽用ポンプを下方から支持するとともに、前記浴槽用ポンプの振動を抑制する防振材（例えば、後述の防振材３０）をさらに備え、前記防振材は、金属材料で構成された第１防振部（例えば、後述の第１防振部３１）と、多孔質材料で構成された第２防振部（例えば、後述の第２防振部３２）と、を有することが好ましい。
【発明の効果】
【００１２】
本発明によれば、従来よりも優れた防音性能を有する浴槽用ポンプの防音構造を提供することができる。
【図面の簡単な説明】
【００１３】
【図１】本実施形態に係る浴槽用ポンプの防音構造が、浴槽に取り付けられた状態を示す斜視図である。
【図２】本実施形態に係る浴槽用ポンプの防音構造の分解斜視図である。
【図３】本実施形態の浴槽用ポンプの防音構造におけるカバー本体の正面図である。
【図４】本実施形態の浴槽用ポンプの防音構造と従来品との振動レベルを測定した結果を示す。
【図５】本実施形態の浴槽用ポンプの防音構造と従来品との騒音レベルを測定した結果を示す。
【発明を実施するための形態】
【００１４】
以下、本発明の一実施形態について、図面を参照しながら詳しく説明する。
図１は、本実施形態に係る浴槽用ポンプの防音構造１が、浴槽１００に取り付けられた状態を示す斜視図である。浴槽用ポンプの防音構造１は、浴槽１００から湯水を吸水して循環させる循環型の浴槽１００において、浴槽１００に湯水を供給するとともに、湯水を循環させる浴槽用ポンプ２０（以下単にポンプとも言う）の振動及び騒音を防止するものである。
【００１５】
浴槽１００は、上部が開口した略長方体であり、一対の向かい合う長壁１０１と、一対の向かい合う短壁１０２と、底面部１０３と、により湯水を貯留可能な凹部が形成されている。浴槽１００は、短壁１０２の一方側に配置される吐水口１０４及び噴出ノズル１０５を有する。
【００１６】
ポンプ２０は、吐水口１０４から延びる配管２０１に接続され、浴槽１００の短壁１０２の外側に配置される。ポンプ２０は、吐水口１０４を介して浴槽１００に湯水を供給するとともに、噴出ノズル１０５の側部から浴槽１００内部の湯水を吸引する。ポンプ２０は、吐水口１０４に接続された配管２０１を介して、浴槽１００の湯水を循環させる。ポンプ２０は、例えば浴室の点検口（図示せず）の上に載置されている。
【００１７】
図２は、浴槽用ポンプの防音構造１の分解斜視図である。
浴槽用ポンプの防音構造１は、ポンプ２０と、吸音材としての防音カバー１０と、防振材３０と、を備える。
【００１８】
防音カバー１０は、ポンプ２０の下面を含む周囲を覆うように設けられる。具体的には、防音カバー１０は、ポンプ２０の下面を回り込んで、概ね上下左右、前後の面を囲むように配置される。
防音カバー１０は、カバー本体１１０と、蓋部１２０とを有し、カバー本体１１０及び蓋部１２０のそれぞれが内側層１３と、外側層１４と、により構成される。防音カバー１０は、吸音性及び遮音性の両方を有する。
【００１９】
カバー本体１１０は、内部にポンプ２０を収容するケーシングである。図２に示すように、カバー本体１１０は、ポンプ２０の外形に略沿った形状に形成されている。カバー本体１１０は、ポンプ２０の周囲を取り囲み、一方側がポンプ２０を出し入れする開口１１１になっている。開口１１１に対向する面には、配管２０１が挿通する穴１１２が形成されている（図３参照）。なお、開口１１１は、作業性向上の観点から、ポンプを設置する作業者が作業をする方向（浴室の洗い場側）に開口するように配置されている。
蓋部１２０は、カバー本体１１０と同じ部材で形成され、カバー本体１１０の開口１１１を塞ぐように取り付けられる。
【００２０】
図３は、浴槽用ポンプの防音構造１におけるカバー本体１１０の正面図である。
内側層１３は、カバー本体１１０の内側に配置され、ポンプ２０に近接する側に配置される。内側層１３は、ポンプ２０の下面を除いて、直接ポンプ２０に接しておらず、内側層１３とポンプ２０との間には空気層が形成されている。内側層１３は、ウレタン／エーテル系の多孔質材料、例えば軟質ウレタンにより構成される。内側層１３は、主に音を吸音する吸音性を有する。内側層１３の厚みは、例えば３ｍｍ程度である。
【００２１】
内側層１３は、蓋部１２０側では、図２に示すように蓋部１２０の端縁よりもカバー本体１１０に近づく側に延出する延出部１３０を有して形成されている。
【００２２】
外側層１４は、内側層１３と異なる材料で、内側層１３よりも剛性のある素材、例えばオレフィン系熱可塑性エラストマー（ＴＰＯ）等、例えば硬質ウレタンにより形成される。外側層１４は、主に音を遮蔽する遮音性を有する。外側層１４は、カバー本体１１０及び蓋部１２０の外郭を構成し、内部に内側層１３を収容している。外側層１４の厚みは、例えば３ｍｍ程度である。
【００２３】
図３に示すように、内側層１３と外側層１４との間には、隙間１５が形成されており、内側層１３と外側層１４とは、密着していない。
【００２４】
防振材３０は、カバー本体１１０の下面に取り付けられ、ポンプ２０及び防音カバー１０を載置する架台となっている。防振材３０は、第１防振部３１と、第２防振部３２と、を有する。
第１防振部３１は、カバー本体１１０の下面に直接接する。第１防振部３１は、向かい合う一対の面が開口した直方形であり、剛性の高いＳＵＳ等の金属材料で構成される。
第２防振部３２は、第１防振部３１の下に配置され、点検口等のポンプ２０の設置面に設けられる。第２防振部３２は、ウレタン／エーテル系の多孔質材料により構成される。第２防振部３２は所定の厚みを有する矩形状である。
【００２５】
以上の浴槽用ポンプの防音構造１の作用を説明する。ポンプ２０は、稼働すると小刻みに振動する。ここで、ポンプ２０の設置面となる点検口の上に、第２防振部３２が配置されているため、ポンプ２０全体の揺れが、柔らかく振動を減衰させる性能のある多孔質材料よって吸収され、主に低振幅域の振動が制振される。
【００２６】
また、第１防振部３１は直方形の形状を有していることから、ポンプ２０と設置面の間が第１防振部３１により離間し、振動が設置面に伝わりにくい。また、第１防振部３１は剛性が高いため、主に高振幅域の振動が制振される。
【００２７】
防振材３０によって抑制しきれなかった振動は、音として知覚されやすい。ポンプ２０により生じる音は、防音カバー１０によって吸収又は遮蔽される。
【００２８】
防音カバー１０の蓋部１２０には、内側層１３に延出部１３０が形成されており、延出部１３０が内側層１３と外側層１４との隙間１５に差し込まれ、蓋部１２０の外側層１４がカバー本体１１０の外側層１４に重なるようにして蓋部１２０がカバー本体１１０に取り付けられる。このため、部分的にポンプ２０を取り囲む層が厚くなる。
【００２９】
防音カバー１０の内側層１３は、高音域の音の振動を減衰させやすい多孔質材料で構成されている。また、内側層１３と外側層１４との間には隙間１５が形成されており、空気の層となっているため、内側層１３が生じる音により振動したとしても、隙間１５による空気の層によりその外側へ振動が伝わりにくい。そして、外側層１４は、内側層１３より硬質で形成されているため、ポンプ２０から生じて防振材３０及び内側層１３によって吸収しきれなかった音が遮蔽される。
【００３０】
本実施形態によれば、以下の効果が奏される。
本実施形態では、浴槽１００の内部に湯水を供給するための浴槽用ポンプの防音構造１を、浴槽用ポンプ２０の下面を含む周囲を覆うように設け、浴槽用ポンプ２０の振動により生じる音を吸収する防音カバー１０を含んで構成した。
【００３１】
本実施形態によれば、吸音材としての防音カバー１０がポンプ２０の下面を含む周囲を覆うように設けられ、ポンプ２０の下面に吸音材が配置されているので、ポンプ２０の振動も抑制できるとともに、ポンプ２０により生じる音を吸収することができる。よって、騒音の発生を抑制することができる。したがって、従来よりも優れた防音性能を有する浴槽用のポンプ２０を設置することができる。
具体的には、階下騒音が小さくなるので、マンション等の集合住宅にも設置することができる。また、浴槽１００へ湯水を吐水する際の流水音が小さくなり、リラックス効果が高まる。また、浴室でテレビやオーディオを楽しむことができるようになる。
さらに、防音カバー１０によりポンプ２０全体が覆われるため、ポンプ２０と防音カバー１０を一つのユニットとして取り扱うことができ、取り付けが容易になる。
【００３２】
本実施形態によれば、防音カバー１０を、互いに材質が異なる内側層１３と外側層１４とを含んで構成した。これにより、内側層１３と外側層１４との材質が異なるため、一方の層を構成する材料では防ぎきれない周波数の振動及び音を、他方の層を構成する材料が吸収又は遮蔽することができる。このため、より広い周波数の幅域の音を防音することができる。
また、材質の異なる内側層１３と外側層１４とで防音カバー１０を構成することにより、防音カバー１０の厚みを押さえつつ、防音性能を向上させることができる。ポンプ２０の設置場所は狭く制限されることが多いところ、ポンプ２０の外側を覆う防音カバー１０を小型化できるため、好ましい。
【００３３】
本実施形態によれば、内側層１３と外側層１４との間に、隙間１５を形成した。これにより、隙間１５の空気の層が介在するため、防音効果を高めることができる。
【００３４】
本実施形態によれば、防音カバー１０で覆われた浴槽用ポンプ２０を下方から支持するとともに、浴槽用ポンプ２０の振動を抑制する防振材３０をさらに含んで構成した。また、防振材３０を、金属材料で構成された第１防振部３１と、多孔質材料で構成された第２防振部３２と、含んで構成した。これにより、互いに材料の異なる部材が、防音カバー１０の下方にも配置されているので、防音カバー１０による防音効果に加えて、さらにポンプ２０から生じる振動を抑制することができ、騒音の発生自体を抑制することができるので、防音効果が高まる。
【００３５】
＜実施例＞
従来の防音構造と、本実施形態における防音構造１により、振動レベル及び騒音レベルを測定した。
【００３６】
〔振動レベル試験〕
振動レベル試験は、１６００ｍｍ×１６００ｍｍ×２２００ｍｍの浴室にて、ＬＩＸＩＬ社製ハイバック浴槽を用いて行った。浴槽の材質は、アクリル系人造大理石だった。測定は、ポンプを稼働させてから１０秒間、小野測器社製の振動レベル計を用いて測定した。図４に示す数値は、３回測定したうちの平均値を示す。振動レベル計は、浴槽の脚部部分に取り付けた。測定時の気温は２５度であり、浴槽に貯留された水量は２００Ｌだった。ポンプの稼働モードは、強で運転した。
【００３７】
図４は、振動レベルを測定した結果を示す図であり、図４中、線Ｐが本実施形態における浴槽用ポンプの防音構造１を取り付けた場合の数値を示し、線Ｑが、ポンプの全面を吸音層が囲んでいない比較例に係る浴槽用ポンプの防音構造を取り付けた場合の数値を示す。縦軸は振動加速度（ｍ／ｓ２）を示し、横軸は周波数（Ｈｚ）を示す。
【００３８】
〔騒音レベル試験〕
騒音レベル試験は、１６００ｍｍ×１６００ｍｍ×２２００ｍｍの浴室にて、ＬＩＸＩＬ社製リクライニング浴槽を用いて行った。浴槽の材質は、アクリル系人造大理石だった。測定は、ポンプを稼働させてから１０秒間、小野測器社製の騒音レベル計を用いて測定した。図５に示す数値は、３回測定したうちの平均値を示す。騒音レベル計は、浴槽の短壁における上縁近傍に取り付けた。測定時の気温は２５度であり、浴槽に貯留された水量は２００Ｌだった。ポンプの稼働モードは、弱で運転した。
【００３９】
図５は、騒音レベルを測定した結果を示す図であり、図５中、線Ｒが本実施形態における浴槽用ポンプの防音構造１を取り付けた場合の数値を示し、線Ｓが、ポンプの全面を吸音層が囲んでいない比較例に係る浴槽用ポンプの防音構造を取り付けた場合の数値を示す。縦軸は騒音レベル（ｄＢＡ）を示し、横軸は周波数（Ｈｚ）を示す。
【００４０】
〔評価〕
振動レベル及び騒音レベルのいずれにおいても、本実施形態における防音カバー１０により振動及び騒音が顕著に低減されたことがわかった。振動に関しては、１５０〜３００ＨＺの周波域に特に効果があり、比較例と比べて７５％の振動を低減することが可能となった。騒音に関しては、０Ｈｚ〜４００Ｈｚの全領域で、騒音が低減された。
【００４１】
なお、本発明は上記実施形態に限定されるものではなく、本発明の目的を達成できる範囲での変形、改良等は本発明に含まれる。
例えば、上記実施形態では、蓋部１２０はカバー本体１１０に差し込まれるようにして取り付けられるが、これに限られない。カバー本体の端縁に面ファスナーを取り付け、蓋部を平板な板状で重量を軽く構成するとともに、カバー本体の面ファスナーに対応する位置に、面ファスナーに係合する部材を取り付け、面ファスナーの係合によって蓋部とカバー本体とを接合させてもよい。
【符号の説明】
【００４２】
１    浴槽用ポンプの防音構造
１０  吸音材
１３  内側層
１４  外側層
１５  隙間
２０  浴槽用ポンプ
３０  防振材
３１  第１防振部
３２  第２防振部
【図１】
0006654421.tif 000002
【図２】
0006654421.tif 000003
【図３】
0006654421.tif 000004
【図４】
0006654421.tif 000005
【図５】
0006654421.tif 000006